(57)【要約】【課題】この発明は、通常、二次元映像表示に使用されている表示パネルを立体映像表示にも使用可能とする映像分離装置を提供することを目的とする。【解決手段】複数の視点からなる映像を表示する液晶ディスプレイ装置１から映像光を一対の視点からの映像光として左右の眼に対応して分離するパララックバリア基板２１と、このパララックバリア基板２１を前記液晶ディスプレイ装置１に着脱可能に装着する係止部２３と、前記パララックバリア基板２１と前記液晶ディスプレイ装置１との空間的位置を調整する手段と、備える。この係止部２３を用いて、液晶ディスプレイ装置１と一定の間隔をおいてパララックバリア基板２１を液晶ディスプレイ装置１に装着する。【選択図】　図１
2004004681.tif 000002
【特許請求の範囲】
【請求項１】
複数の視点からなる映像を表示する表示パネルからの映像光を一対の視点からの映像光として左右の眼に対応して分離する映像分離手段と、この映像分離手段を前記表示パネルに着脱可能に装着する装着手段と、前記映像分離手段と表示パネルとの空間的位置を調整する調整手段と、を備えることを特徴とする映像分離装置。
【請求項２】
前記装着手段は、前記表示パネルの収容筺体の上部に係止する係止部を備えることを特徴とする請求項１に記載の映像分離装置。
【請求項３】
前記調整手段は、前記係止部と前記表示パネルの収容筺体上部との相対高さを調整することを特徴とする請求項２に記載の映像分離装置。
【請求項４】
前記収容筺体の上部の両端部近傍にそれぞれ接触する係止部を設け、複数の係止部で前記映像分離手段を支持することを特徴とする請求項２又は３に記載の映像分離装置。
【請求項５】
前記複数の係止部が連結部材で連結されていることを特徴とする請求項４に記載の映像分離装置。
【請求項６】
前記連結部材に、映像分離手段が収容筺体から脱落するのを防止する落下防止部材を設けたことを特徴とする請求項５に記載の映像分離装置。
【請求項７】
前記連結部材に、前記表示パネルの誤閉防止用部材が設けられているたことを特徴とする請求項５のいずれかに記載の立体映像表示装置。
【請求項８】
前記連結部材に、映像分離手段を前記表示パネルに対して水平方向に移動させる水平位置調整機構を設けたことを特徴とする請求項５に記載の映像分離装置。
【請求項９】
前記水平位置調整機構は、前記表示パネルの収容筺体の上部水平部と接触する回転接触部を備え、この接触部を前記筺体の上部に押し付けながら回転させて、水平移動させることを特徴とする請求項８に記載の映像分離装置。
【請求項１０】
前記水平位置調整機構は、前記連結部材に取り付けられた支持部材と、この支持部材に斜め方向に設けられたネジ孔と、このネジ孔に挿入され一端につまみを他端に前記筺体の上部と接触する半円状に形成された接触部を有するボルト部材と、を備え、前記つまみ、ボルト部材、接触部が前記筺体の上部に対して斜めに取り付けられることを特徴とする請求項８に記載の映像分離装置。
【請求項１１】
前記映像分離手段は、縦または斜め方向にストライプ状遮光部が設けられていることを特徴とする請求項１ないし１０のいずれかに記載の映像分離装置。
【請求項１２】
前記映像分離手段は、縦または斜め方向にストライプ状遮光部が設けられたバリア基板と、このバリア基板を支持する支持枠とからなり、前記バリア基板は支持枠の表面より奥まった状態で支持枠に取り着けられていることを特徴とする請求項１１に記載の映像分離装置。
【請求項１３】
前記映像分離手段は、前記ストライプ状の遮光部を必要に応じてオンオフする液晶基板で構成したことを特徴とする請求項１ないし１１のいずれかに記載の映像分離装置。
【請求項１４】
前記映像分離手段は、少なくとも一部が光を透過する材質で構成された支持枠に取り付けられていることを特徴とする請求項１ないし１１いずれかに記載の映像分離装置。
【請求項１５】
複数の視点からなる映像を表示する表示パネルに、前記請求項１ないし１４のいずれかに記載の映像分離装置を装着し、前記表示パネルから映像光を前記映像分離手段で分離して観察し、一対の視点からの映像光として左右の眼に対応して観察可能に前記映像分離手段が位置調節されて装着されていることを特徴とする立体映像表示装置。
【発明の詳細な説明】
【０００１】
【発明の属する技術分野】
この発明は、立体映像を視認するための映像分離装置並びにそれを用いた立体映像表示装置に関する。
【０００２】
【従来の技術】
近年、電子表示装置の分野において、技術の発達が著しく、表示画面の大画面化、高精細化が進んでいる。表示画面の大画面化、高精細化によって、表示画面上、人間の視野に占める画像の割合が増加し、人間の目の分解能では判別できないほど高密度に画素を配置することができる。これにより、画像は実物に近い、自然なものとなり、高い臨場感を生むことになる。しかしながら、このような画像は平面的であるのに対し、実際の物は立体的であるため、より臨場感を高めた自然な画像とするには、平面的な画像では限界がある。
【０００３】
ところで、人間は、左右２つの目の働きにより、物を立体的に見ることができる。したがって、立体的に物を表示できれば、より高い臨場感を生むことになる。そこで、近年、物の立体的表示に関する研究が盛んに行われている。
【０００４】
従来、種々の立体映像表示装置が提案されており、その中で、特殊な眼鏡なしに立体映像を表示する装置として、レンチキュラーレンズやパララックスバリアなどの光学分離手段を用いたものが知られている。特開平１０−２６８２３２号公報には、バックライトと、表示パネルとしての液晶パネルと、この液晶パネルの観察者側に配置されるパララックスバリアと、を備えた立体映像表示装置が提案されている。
【０００５】
【発明が解決しようとする課題】
従来の立体映像表示装置では、バララックスバリアなどの光学分離手段を表示パネルとの相対位置を調整した後、両者を取り付けている。これら部材は、一旦取り付けた後は、通常取り外しは行われない。すなわち、従来の立体映像表示装置の表示パネルは、立体映像専用に準備されている。
【０００６】
最近、液晶ディスプレイ装置やノート型パーソナルコンピュータの普及がめざましく、これらの装置においても手軽に立体映像を観察できることが望まれている。
【０００７】
しかしながら、上述したように、従来の立体映像表示装置は立体映像専用のものであり、市販のパーソナルコンピュータ用の液晶液晶ディスプレイ装置では立体表示が行えないという問題が存在していた。そこで、この発明は、通常、二次元映像表示に使用されている表示パネルを立体映像表示にも使用可能とする映像分離装置を提供することを目的とする。
【０００８】
【課題を解決するための手段】
この発明は、複数の視点からなる映像を表示する表示パネルからの映像光を一対の視点からの映像光として左右の眼に対応して分離する映像分離手段と、この映像分離手段を前記表示パネルに着脱可能に装着する装着手段と、前記映像分離手段と表示パネルとの空間的位置を調整する手段と、を備えることを特徴とする。
【０００９】
上記した構成によれば、映像分離手段を表示パネルに着脱可能に装着することができる。従って、市販の液晶ディスプレイ装置などの表示パネルを立体映像表示装置として用いることができる。
【００１０】
前記装着手段は、前記表示パネルの収容筺体の上部に係止する係止部を備え、前記調整手段は、前記係止部と前記表示パネルの収容筺体上部との相対高さを調整するように構成することができる。
【００１１】
上記した構成によれば、映像分離手段を表示パネルに係止するだけで、分離手段を表示パネルに装着することができる。また、立体映像を視認するための調整が行える。
【００１２】
また、この発明は、前記収容筺体の上部の両端部近傍にそれぞれ接触する係止部を設け、複数の係止部で前記映像分離手段を支持するように構成すると良い。
【００１３】
複数の箇所で支持させる方が色々な表示パネルの形状に対応させることができる。
【００１４】
前記複数の係止部を連結部材で連結するとよく、また、前記連結部材に映像分離手段が収容筺体から脱落するのを防止する落下防止部材を設けたり、前記連結部材に映像分離手段を前記表示パネルに対して水平方向に移動させる水平位置調整機構を設けるとよい。また、前記連結部材に、前記表示パネルの誤閉防止用部材が設けてもよい。
【００１５】
また、前記水平位置調整機構は、前記表示パネルの収容筺体の上部水平部と接触する回転接触部を備え、この接触部を前記筺体の上部に押し付けながら回転させて、水平移動させるように構成できる。
【００１６】
また、前記水平位置調整機構は、前記連結部材に取り付けられた支持部材と、この支持部材に斜め方向に設けられたネジ孔と、このネジ孔に挿入され一端につまみを他端に前記筺体の上部と接触する半円状に形成された接触部を有するボルト部材と、を備え、前記つまみ、ボルト部材、接触部が前記筺体の上部に対して斜めに取り付けられるように構成できる。
【００１７】
上記のように構成することで、取り扱いが容易になるとともに調整も容易に行える。
【００１８】
また、前記映像分離手段として、縦または斜め方向にストライプ状遮光部が設けられているものを用いることができる。
【００１９】
また、前記映像分離手段は、縦または斜め方向にストライプ状遮光部が設けられたバリア基板と、このバリア基板を支持する支持枠とからなり、前記バリア基板は支持枠の表面より奥まった状態で支持枠に取り着けられているように構成することができる。
【００２０】
前記映像分離手段として、ストライプ状の遮光部を必要に応じてオンオフする液晶基板で構成したものを用いることができる。
【００２１】
前記映像分離手段は、少なくとも一部が光を透過する材質で構成された支持枠に取り付けるように構成するとよい。
【００２２】
上記のように、支持枠を取り付けることで、映像分離手段の破損を防ぐことができる。しかも、光を透過する材質で構成することで表示パネルの表示面の周辺部を隠す虞もない。ここで、光を透過するというのは、少なくとも画面の表示が認識できる程度ということであって、完全な無色透明に限るものではない。
【００２３】
この発明は、複数の視点からなる映像を表示する表示パネルに、上記に記載の映像分離装置を装着し、前記表示パネルから映像光を前記映像分離手段で分離して観察し、一対の視点からの映像光として左右の眼に対応して観察可能に前記映像分離手段が位置調節されて装着されている。
【００２４】
上記のように構成することで、市販の液晶ディスプレイ装置を簡単に立体映像表示装置に用いることができる。
【００２５】
【発明の実施の形態】
以下、この発明の実施形態を図に基づいて説明する。図１は、この発明の映像分離装置が用いられる液晶ディスプレイ装置を示す正面図、図２は、この発明の第１の実施形態にかかる映像分離装置を示す正面図、図３は、この発明の第１の実施形態にかかる映像分離装置を液晶ディスプレイ装置に取り付ける状態を示す正面図、図４は、この発明の第１の実施形態にかかる映像分離装置を液晶ディスプレイ装置に取り付けた状態を示す正面図、図５は、この発明の第１の実施形態にかかる映像分離装置を液晶ディスプレイ装置に取り付けた状態を示す側面図である。
【００２６】
図１に示すように、液晶モニタなどからなる液晶ディスプレイ装置１は、パーソナルコンピュータ等の表示デバイスとして用いられるものであり、液晶表示パネル１１を筺体１２に収容している。筺体１２には脚部１３が取り付けられ、この脚部１３により机の上などに設置される。
【００２７】
液晶ディスプレイ装置１に図示しないパーソナルコンピュータ等から映像信号が与えられ、液晶表示パネル１１にて所定の映像が表示される。立体映像の場合には、視点数に応じた映像が表示される。例えば、視点数が２の２眼式の場合は、左眼用映像と右眼用映像が交互に表示されることになる。この液晶ディスプレイ装置１に映像分離装置２を装着することにより、立体映像を表示する装置として用いる。
【００２８】
図２に示すように、この映像分離装置２は、例えば、パララックスバリアが用いられ、ガラス又は透明樹脂などの基板に液晶パネルのピッチに対応して多数のストライプ状の遮光薄膜を形成したパララックスバリア基板２１が支持枠２２で保持されている。この支持枠２２の上部の両端には、直角に折れ曲がった形状の係止部２３が形成されている。
【００２９】
図３に示すように、映像分離装置２のパララックスバリア基板２１と液晶ディスプレイ装置１の液晶表示パネル１１との位置を合わせて係止部２３を液晶ディスプレイ装置１の筺体１２の上部に引掛けて、映像分離装置２を液晶ディスプレイ装置１に係止する。
【００３０】
図４及び図５に示すように、映像分離装置２は、使用時には、液晶ディスプレイ装置１の液晶表示パネル１１を覆う位置に装着される。これにより、この液晶ディスプレイ装置１を見る人は、液晶ディスプレイ装置１の液晶表示パネル１１に表示される映像をこの映像分離装置２を通して見ることになる。
【００３１】
例えば、２眼式の場合には、液晶表示パネル１１に右眼用画像と左眼用画像が１列ごとに表示される。バックライトからの光を透過した映像はパララックスバリア基板２１により分離され、この液晶ディスプレイ装置１を見る人は、左眼用映像を左眼で、右眼用映像を右眼でそれぞれ観察し、立体映像を視認することになる。
【００３２】
図５の側面図に示すように、この映像分離装置２が装着された液晶ディスプレイ装置１の表示面に沿って装着され、映像分離装置２と液晶ディスプレイ装置１の液晶表示パネル１１の表示面との間隔は、一定に保たれている。また、映像分離装置２は係止部２３を液晶ディスプレイ装置１の筺体１２の上部に引掛けて係止されていることから、映像分離装置２は液晶ディスプレイ装置１から容易に着脱可能である。
【００３３】
図６は、この映像分離装置２において映像を左眼用映像と右眼用映像とに分離するパララックスバリア基板２１の構成例を示す分解斜視図である。パララックスバリア基板２１は、樹脂製のフィルム２１ｂと薄板の強化ガラスに液晶パネルのピッチに対応して多数のストライプ状の遮光薄膜を形成したパララックスバリア２１ａと反射防止処理が施されたフィルム２１ｃと、を積層して作られている。また、液晶ディスプレイ装置１は、表示部材として、液晶表示パネル１１を備えている。
【００３４】
このように構成することにより、液晶表示パネル１１は、樹脂製のフィルム２１ｂにより表面を保護される。また、パララックスバリア２１ａは、液晶表示パネル１１から透過する画素群毎に光を左右に分離する。このパララックスバリア２１ａに装着されるフィルム２１ｃは、反射防止処理が施されており、このパララックスバリア基板２１から光が反射されるのを防止する。
【００３５】
液晶ディスプレイ装置１に取り付けた映像分離装置２は、液晶表示パネル１１の画素位置と映像分離装置２のストライプ状の遮光薄膜との位置関係が上手く合わないと立体視ができない。すなわち、映像を左右に分離することができず、そこで、液晶ディスプレイ装置１に映像分離装置２に係止部材２３により取り付けた後、映像分離装置２の調整を行う。例えば、２眼式の場合は、観察者が液晶ディスプレイ装置１の真正面の観察位置に、２つの視点が位置するように映像分離装置２を左右に僅かに移動させる。そして、立体視が観察された位置で映像分離装置２を止める。このようにして、液晶表示パネル１１の画素位置と映像分離装置２のストライプ状の遮光薄膜との位置関係の調整を行って、立体映像の観察が可能となる。多眼式の場合も同様で、液晶ディスプレイ装置１の真正面にいずれかの視点のペアが位置するように微調整する。
【００３６】
尚、この微調整の作業を容易にするために、例えば、２眼式の表示にし、右眼用画像には、右、Ｒなどの字を大きく表示し、左眼用画像には、左、Ｌなどの字を大きく表示して、液晶表示パネル１１に表示させる。そして、調整の際には、観察者は、左眼を閉じて右眼だけで、右、Ｒなどの字が見えるようになるまで、左右に僅かに移動させる。そして、字が観察された位置で映像分離装置２を止める。続いて、逆に右眼を閉じて左眼だけで観察し、左、Ｌなどの字が見えると位置調整が完了する。
【００３７】
ところで、左右方向の位置調整は、映像分離装置２を左右に移動させることで行えるが、映像分離装置２が斜めに取り付けられている場合には、左右の位置調整だけでは上手く立体視ができない。すなわち、液晶表示パネル１１の中央部で位置調整が上手く行えても、映像分離装置２が斜めになっていると上下方向で位置がずれ立体視が上手く観察できない。そこで、斜め方向の微調整も容易に行える方が好ましい。この発明の映像分離装置の第２実施形態は、斜め方向の微調整を容易にしたものである。図７は、この発明の映像分離装置の第２実施形態の構成を示す正面図、図８は要部側面図である。
【００３８】
図７に示すように、この実施形態においても映像分離装置２の支持枠２２の上部の両端には、直角に折れ曲がった形状の係止部２３ａが形成されている。この係止部２３ａは後述するように、液晶ディスプレイ装置１の筺体１２の上部に係止した際に、相対位置が上下に移動できるように構成されている。図８に示すように、この実施形態の係止部２３ａの上部には、液晶ディスプレイ装置１の筺体１２の上部に突出する突出部分２３ｂが設けられており、この突出部分２３ｂには、ネジ穴が設けられている。このネジ穴にネジ２４を挿入し、ネジ２４の先端を液晶ディスプレイ装置１の筺体１２の上部と当接させ、液晶ディスプレイ装置１に映像分離装置２を取り付ける。
【００３９】
ネジ２４を回転させることにより、ネジ２４の突出量が変化し、映像分離装置２の上下方向の位置が調整できる。ネジ２４を回転させることにより、映像分離装置２の液晶ディスプレイ装置１に対する角度を調整することができる。このように、この実施形態によれば、ネジ２４を回転させるだけで、斜め方向の微調整も容易に行える。
【００４０】
図７に示した実施形態では両端の２つの係止部２３ａを上下に移動できるように構成しているがどちらか一方を移動可能に構成しても良い。
【００４１】
図９に高さ調整の他の実施形態を示す。この実施形態は係止部２３ａに脚部２５を設け、脚部２５の先端部に液晶ディスプレイ装置１の筺体１２の上部に載せる係止板２６を設けている。脚部２５にはネジが内蔵されており、脚部２５を回転させることにより、脚部２５の高さが変えられるように構成されている。この脚部２５を備えた係止板２６を液晶ディスプレイ装置１の筺体１２の上部に載せることにより、映像分離装置３を液晶ディスプレイ装置１に取り付けるものである。
【００４２】
脚部２５に設けられたネジは、例えば、図９（ａ）に示すように中央部分のネジを回転させると、図９（ｂ）に示すように高さが変化する。したがって、このネジを回転させることにより、映像分離部分２の上下方向の位置を調整することができ、斜め方向の微調整も容易に行える。
【００４３】
この発明の映像分離装置の第３実施形態につき、図１０ないし図１３に従い説明する。図１０は、この発明の映像分離装置の第２実施形態の構成を示す正面図、図１１は、映像分離装置を液晶ディスプレイ装置に取り付けた状態を示す正面図である。
【００４４】
この映像分離装置２はパララックスバリア基板２１の上部を支持枠２２ａで保持されている。この支持枠２２ａの両端には、係止片２７が形成されている。この係止片２７には複数の穴が設けられている。図１２に示すように、係止片２７を液晶ディスプレイ装置１の筺体１２の上部の幅に対応して折り曲げ、穴にネジ２８を挿入し、折り曲げた係止片２７の対向する穴にネジ通し、ナット２９で固定するにより、液晶ディスプレイ装置１の筺体１１を挟み込む。このようにして、図１１に示すように、映像分離装置２が液晶ディスプレイ装置１に装着される。
【００４５】
係止片２７に設けられる穴は、映像分離装置２が異なる高さに固定されるように複数設けられており、ネジを挿入する穴を替えることにより、映像分離装置２の上下方向の位置を変えることができる。すなわち、図１３（ａ）、（ｂ）に示すように、ネジを差し込む穴を替えることによって、液晶ディスプレイ装置１映像分離装置２との接合部分を替えることができ、これにより、この映像分離装置の位置を調整できる。また、図１３（ｃ）に示すように、液晶ディスプレイ装置１の筺体１２の幅が大きくなってもネジを差し込む位置を変えることにより対応できる。
【００４６】
図１４及び図１５は、この発明の映像分離装置の第４の実施形態を示す図である。この実施形態における映像分離装置２は係止部材２３ｂにより、液晶ディスプレイ装置の筺体の上部に係止し、映像分離装置２は、係止部材２３ｂによって、液晶パネル１に対向して吊り下げられている。図１４に示すものは、パララックスバリア基板２１の４片を支持枠２２で保持する構成、図１５に示すものは、パララックスバリア基板２１の上部を支持枠２２ｂで保持する構成のものである。
【００４７】
これら支持枠２２、２２ｂは、上部に係止部材２３ｂを接合し、支持枠２２、２２ｂの一端に突起部を形成する。そして、この突起部の底の部分にパララックスバリア基板２１を接合し、この突起部の上段部とパララックスバリア基板２１の液晶表示パネル１１側との間で段差が生じないように、平面を形成する。
【００４８】
このように、図１４（ｂ）、図１５（ｂ）に示すように、パララックスバリア基板２１を支持枠２２、２２ｂの表面より奥まった状態で支持枠２２、２２ｂに支持する。
【００４９】
このように構成すると、図１６に示すように、液晶表示パネル１１より前方に筺体１２の部分が出ていてもパララックスバリア基板２１を液晶表示パネル１１に近接した位置に保持される。また、映像分離装置２は液晶表示パネル１１側に突起部分を形成しないことから、液晶表示パネル１１の表面を傷つけることがない。
【００５０】
なお、これら支持枠は、映像分離装置の破損を防ぐ役割があるが、液晶ディスプレイ装置の表示面の周辺部を隠す虞れがある。そこで、光を透過する材質で構成されているとよい。光を透過するというのは、少なくとも画面の表示が認識できる程度ということであって、完全な無色透明に限るものではない。
【００５１】
図１７及び図１８は、この発明の映像分離装置の第５の実施形態を示す図である。
【００５２】
映像分離装置２は、係止部材２３ｃによって、液晶表示パネル１１に対向して液晶ディスプレイ装置１に吊り下げられる。この係止部材２３ｃはパララックスバリア基板２１に接合するための突起部が形成されている。そして、この突起部をパララックスバリア基板２１に設けられた穴に差し込んでパララックスバリア基板２１と係止部２３ｃとが取り付けられる。この突起部の先端部と映像分離装置２の液晶表示パネル１１側との間で段差が生じないように、平面を形成する。パララックスバリア基板２１と係止部２３ｃとは、接着剤で取り付けられていてもよく、その場合は映像分離装置２の液晶表示パネル１１側に段差が生じる心配はない。
【００５３】
この場合、図１８に示すように、接合後の映像分離装置２は、液晶表示パネル１１に近接した位置に保持される。また、液晶表示パネル１１側に突起部分を形成しないことから、液晶表示パネル１１の表面を傷つけることがない。
【００５４】
次に、この発明の映像分離装置の第６の実施形態につき、図１９ないし図２３に従い説明する。
【００５５】
図１９は、第６の実施形態にかかる映像分離装置を示す斜視図、図２０は映像分離装置を液晶ディスプレイ装置に取り付けるための取り付け部材の構成を示す分解斜視図である。
【００５６】
図１９に示すように、この実施形態の映像分離装置２は、パララックスバリア基板２１の左右両端に取り付け部材を取り付けるための取り付けベース５０１、５０１が固定されている。この取り付けベース５０１、５０２に液晶ディスプレイ装置１の筺体上部に支持させる取り付け部材が取り付けられる。
【００５７】
上記したように、映像分離装置２を係止部で液晶ディスプレイ装置１の筺体１２の上部に支持させている。この係止部の液晶ディスプレイ装置１の筺体１２上部との支持は複数の箇所で支持させる方が色々な液晶ディスプレイ装置１の形状に対応できる。このため、この実施形態では、両端部の２箇所で円柱形状の係止部１００、１１０を用いて液晶ディスプレイ装置１の筺体１２の上面と接触させる構成にしている。例えば、図１９の左右端近辺の２箇所の係止部１００、１００を図２１に示すように、液晶ディスプレイ装置１の筺体上面と接触させて支持させる。これにより液晶ディスプレイ装置１上部の形状に関係なく取り付けが可能となる。例えば、上面が平坦であっても、中央部が突起した形状であっても同じ機構で設置が可能である。また、自重による圧力を集中させることで、水平位置調整時の移動がスムーズになるだけでなく、調整後の固定状態が良好になり、振動などによる狂いが生じにくくなる。また、着け外し、すなわち、一度外して再設置における再現性も高い。
【００５８】
取り付けベース５０１に係止部１００を取り付ける構成につき図２０に従い説明する。
【００５９】
円柱状の係止部材１００に円柱状のパイプ１１４が挿入されている。このパイプ１１４の両端にはそれぞれネジ穴が設けられ、先端部につまみ１１０をねじ込みナット１１０ａを用いて固定される。そして、つまみ１１０とパイプ１１４とは一体で回転する。
【００６０】
取り付けベース５０１には、パイプ１１４より大きな径の穴５０１ａが開いている。この取り付けベース５０１はパララックスバリア基板２１又はパララックスバリア板を保持する枠体に固定されている。
【００６１】
取り付けベース５０１の下方位置には、パイプ１１４の下方に設けられたネジ穴と係合するネジ５０２が差し込まれ、下方位置の小ネジ５０４でネジ５０２が動かないように固定される。
【００６２】
パイプ１１４にコイルバネ１１２を挿入し、パイプ１１４が取り付けベース５０１の穴５０１ａに挿入してネジ５０２と係合させ、取り付けベース５０１に係止部１００が取り付けられる。係止部１００はパイプ１１４に挿入されたコイルバネ１１２により、取り付けベース５０１から所定の高さに設定される。
【００６３】
つまみ１１０を回すとパイプ１１４とネジ５０２よりなるネジ構造が働き、互いに上下に移動する。これにより、ディスプレイの筐体に合わせた長さに調整できる。また、回転調整も可能となる。
【００６４】
左右の係止部材１００、１００はＵ字状の連結パイプ１０２により連結固定されている。すなわち、係止部材１００に連結パイプ１０２の先端挿入し、ネジ１０２ａにより固定される。このように、左右の係止部材１００、１００を連結し一体型の構造物とすることで、水平位置調整時に左右の支持部１００、１００が一体の状態で移動することで、調整時及び調整後の歪みを除去し、状態を安定させることができる。そのため、この連結部材は強度が高く、弾性の低い材料が望ましい。図１９では金属パイプ１０２により接続されている。この連結用の金属パイプ１０２と係止部１００を一体に構成することもできる。また、金属パイプ１０２は、折り曲げられて液晶ディスプレイ装置１の後方に位置するようになっている。このような連結パイプは、映像分離装置を液晶ディスプレイ装置から取り外して使用していない間、パーソナルコンピュータの側面上部から吊り下げて保管するために使用することもできる。
【００６５】
両サイドにある係止部１００の高さ及び回転（θ）を調整する部分は、通常下方向に力が加わった状態で固定されるが、上方向に力がかかっても容易に移動しないことが望ましい。これは、着け外しなどにより移動すると、衝撃などで調整が狂い、再現性が悪くなるからである。このため、上記したよに、パイプ１１４は係止部１００前方に開けられた穴を通って移動可能な構造となっている。そして調整つまみ部１１０により下方向に移動しないように止められている。これを上方向にも容易に移動しないようにするために、パイプ１１４にはコイルバネ１１２が取り付けられ、調整された状態を維持している。この他にも、パイプ１１４の係止部１００前方に開けられた穴の直下にゴム製のリングを取り付けて移動を防ぐなどの方法を用いることもできる。
【００６６】
このように構成された映像分離装置２の係止部１００、１００を液晶ディスプレイ装置１の筺体１２の上部に接触させて支持させることで、映像分離装置２が液晶ディスプレイ装置１の所定に位置に取り付けられる。
【００６７】
この実施形態では、図に示すように、金属パイプ１０２に、落下防止具１２０が取り付けられている。これは図２１、図２２に示すように、液晶ディスプレイ装置１の背面方向に倒して使用する。通常液晶ディスプレイ装置１はスクリーンを垂直の状態、あるいは後方に少し倒す状態で使用されるが、誤って液晶ディスプレイ装置を前方に倒しこんだ時や、不測の状況により力が加わった時に落下を防止する。また、力を加えることで金属パイプ１０２を軸として回転する構造となっており、本発明品の着け外し時に邪魔にならない位置に動かすことができる。また、異なる形状のディスプレイへの対応も可能となる。ただし、必ずしもディスプレイ背面に接触させる必要は無い。
【００６８】
また、この実施形態では、連結用金属パイプ１０２には水平位置調整具１３０が取り付けられている。この調整具１３０は、図１９、図２２に示すように、液晶ディスプレイ装置１との接触部１３１が回転する構造となっており、上方から図２２の矢印の方向に、接触部１３１を液晶ディスプレイ装置１の筺体１２の上部に押し付けながら回転させることで、この実施形態の映像分離装置が液晶ディスプレイ装置１に対して水平方向に移動する。また、手を離しても液晶ディスプレイ装置１の筺体１２の上部に接触部１３１が接触しているが、金属パイプ１０２を軸に回転する構造になっているので、左右の係止部１００の効果には実質影響を与えない。調整具１３０にはゴム製のリング３００が設けられ、回転時の摩擦を大きくして滑りを防ぐためのものである。
【００６９】
以上に説明したような高さ、回転、水平位置の調整において、映像分離装置が液晶ディスプレイ装置の表示面に押し付けられる力が加わるような構造だと、調整終了後に力が解放されて調整が狂う恐れがあるが、以上に説明した構造であれば、このような力が加わることがなく、調整が安定する。
【００７０】
また、てこの原理でパララックスバリア基板２１をスクリーンに押し付ける構造にすることもできる。例えば、接触部４００が図２３に示すように、スクリーン面より後方になっていれば、液晶ディスプレイ装置１を前方に倒しこんでも設置が可能であるし、安全性も高まる。
【００７１】
また、上記した映像分離装置は、ノート型パーソナルコンピュータの液晶ディスプレイ装置１に取り着けるように構成することもできる。ノート型パーソナルコンピュータの液晶ディスプレイ装置１は、開閉自在に構成されている。映像分離装置を取り着けたまま液晶ディスプレイ装置を閉じると、機器を損傷する虞がある。液晶ディスプレイを閉じる場合、ディスプレイ上面を持つことが多い。上記した金属パイプ１０２をディスプレイ上面の人が持つようなところに位置させるように構成する。このように構成すると、この金属アーム１０２があることで、操作者は液晶ディスプレイ装置に映像分離装置が取り付けられていることが分かるので、誤って液晶ディスプレイ装置を閉じることが抑止できる。
【００７２】
図２４及び図２５は、この発明の映像分離装置の第７の実施形態を示し、第６の実施形態にかかる映像分離装置の水平位置調整具の構造を変更したものである。図２４は、第６の実施形態にかかる映像分離装置を示す斜視図、図２５は水平位置調整具の構成を示す概略側面図である。尚、第６の実施形態と同一の構成については、同一符号を付し、説明の重複を避けるために、ここではその説明を割愛する。
【００７３】
第６の実施形態においては、水平位置調整具は、図２２に示すように、矢印の方向に、接触部１３１を液晶ディスプレイ装置１の筺体１２の上部に押し付けながら接触部１３１を回転させて映像分離装置を水平方向に移動させている。これに対して、この第７の実施形態は、水平調整具１３０ａの先端に水平調整用つまみ３１０を設けている。この水平調整つまみ３１０には、先端に液晶ディスプレイ装置１の筺体１２の上部と接触する半円状に形成されたゴム製の接触部３１２を備えたボルト３１１が設けられている。水平調整具１３０ａには、このボルト３１１が螺合するネジ孔が設けられている。
【００７４】
そして、この水平調整具１３０ａに設けられたネジ孔は、図２４及び図２５に示すように、水平調整具１３０ａに対して直交する角度ではなく、斜め方向に形成され、ボルト３１１を装着すると、水平調整用つまみ３１０、ボルト３１１、ゴム製の接触部３１２が液晶ディスプレイ装置１の筺体１２の上部に対して斜めに取り付けられる。
【００７５】
このように構成すると、水平調整つまみ３１０を図中矢印方向の回転させると、ゴム製の接触部３１２が液晶ディスプレイ装置１の筺体１２に対して、水平方向の力を加わえることになり、映像分離装置が液晶ディスプレイ装置１に対して水平方向に移動する。
【００７６】
この実施形態においては、水平調整つまみ３１０を回すことにより、水平位置調整が行えるので、上から押さえつけながら水平位置調整具を回す第６の実施形態より、より簡単に調整が行える。そして、水平調整つまみ３１０の回転半径に対して接触部３１２の回転半径が小さいほど精密な調整が可能となる。
【００７７】
次に、この発明の映像分離装置の第８の実施形態につき、図２６ないし図２９に従い説明する。この第８の実施形態はノート型パーソナルコンピュータに適用した場合である。
【００７８】
この発明の映像分離装置の第８の実施形態は、図２６に示すノート型パーソナルコンピュータ３の表示画面３１に図２７に示す映像分離装置２００を装着するものである。図２６に示すように、ノート型パーソナルコンピュータ３は、表示画面３１に映像分離装置２００が装着されることにより、立体映像を表示する装置として使用される。この映像分離装置２００の下部には、装着部材２０１が設けられている。この装着部材２０１には、前記送りネジを有する脚部２０２が用いられており、この送りネジを回転させることにより、映像分離装置２００の上下方向の位置を調整することができる。
【００７９】
例えば、図２６に示されたノート型パーソナルコンピュータ３の表示画面３１上に、図２７に示された映像分離装置２００を載せ、その上下方向の位置の調整を装着部材２０２を用いて行う場合には、図２８に示すように、映像分離装置２００をノートパーソナルコンピュータ３に装着した状態において、映像分離装置２００の上下方向の位置を調整するために、映像分離装置２００の下部に設けた装着部材２０１の脚部２０２の送りネジを回転させる。図２９に示すように、この送りネジの回転により、装着部材２０１の先端部が上下に移動し、映像分離装置２００の下部を押圧する。その結果、映像分離装置２００は、上下に移動する。これにより、映像分離装置２００の上下方向の位置を調整することができる。
【００８０】
上記した実施形態においては、映像分離装置として縦ストライプ状のパララックスバリア基板２１を用いた場合につき説明したが、ピンホールを斜めに配置したパララックスバリアを用いたものにおいても本発明は適用できる。図３０乃至図３３に、視点数が４で、ピンホールを斜めに配置したパララックスバリア用いた場合につき説明する。図３０は、液晶表示画面に表示される画素の関係を示す模式図、図３１は、この表示画面に対応するパララックスバリアを示す模式図である。
【００８１】
図３０に示すように、左右方向、上下方向共に”４””３””２””１”の順序で繰り返して４つの視点に対応する画像が合成されて表示される。この表示画面に対応して、図３１に示すように、階段状にピンホール２１ｄが形成された斜めストライプ状のバリア部２１ｃが設けられている。このパララックスバリアを用いると、図３２、図３３に示すように、左右の眼に隣接する視点の画像が分離されて与えられる。図３２は、適視距離において、左眼で図３０に示す表示画面を見た状態を、図３３は、適視距離において、右眼で図３０に示した表示画面を見た状態を示す模式図である。
【００８２】
表示画面とパララックスバリア基板の位置関係を調整すると、図３２、図３３に示すように、この例では、左右の眼に２、３の視点からの映像が観察される。このような、４つの視点の画像の場合、例えば、１、３の視点の画像にＲという表示を、２、４の視点の画像にＬという表示をさせ、パララックスバリアの位置関係を調整すればよい。
【００８３】
この調整において、映像分離装置の斜め方向が表示画面とずれている場合には、左右の画像を上手く分離できないので、斜め方向の調整は必要である。但し、水平方向の調整については、図３０乃至図３３から分かるように、表示画面に映像分離装置を上下方向に移動させると、バリアは斜め方向に形成されているので、水平方向に移動することになる。このため、斜めストライプ状のバリアを用いた映像分離装置の場合、第６、第７に示した水平方向位置調整具を用いなくても、上下の移動だけで水平方向の移動も行える。従って、斜めストライプ状のバリアを用いた映像分離装置の場合、第６、第７に示した水平方向位置調整具を省略することもできる。
【００８４】
上記した実施形態では、パララックスバリア基板２１として、透明ガラス基板に液晶パネルのピッチに対応して多数のストライプ状の遮光薄膜を形成したものを用いたが、パララックスバリア基板２１として液晶基板を用いても良い。そして、ストライプを液晶で構成し、ストライプのオン／オフを可能にしたり、また視点数を可変な構造にしても良い。この場合、液晶ディスプレイ装置本体の例えばＵＳＢ端子から電源を取り出すとよい。また、通信手段でパーソナルコンピュータからオン／オフ制御を行うように構成しても良い。
【００８５】
また、映像分離手段として、パララックスバリア基板の代わりにレンチキュラ板基板を用いることもできる。
【００８６】
更に、上記した実施形態においては、映像表示パネルして、液晶表示液晶ディスプレイ装置を用いたが、他の表示装置、例えばプラズマディスプレイ、リアプロジェクション装置、有機ＥＬ発光デバイスを用いた装置などを用いることもできる。
【００８７】
【発明の効果】
以上、説明したように、この発明においては、パララックスバリアやレンチキュラ板などの映像分離手段を容易に着脱することができる。これにより、市販の二次元映像表示の液晶ディスプレイ装置にこれらの映像分離手段を装着することによって、容易に、立体映像表示用の表示装置を構成することができる。また、装着された分離手段の位置を、調整手段によって、容易に調整できるので、映像分離手段を液晶ディスプレイ装置に装着した後においても、分離手段の位置を容易に調整することができる。
【図面の簡単な説明】
【図１】この発明の映像分離装置が用いられる液晶ディスプレイ装置を示す正面図である。
【図２】この発明の第１の実施形態にかかる映像分離装置を示す正面図である。
【図３】この発明の第１の実施形態にかかる映像分離装置を液晶ディスプレイ装置に取り付ける状態を示す正面図である。
【図４】この発明の第１の実施形態にかかる映像分離装置を液晶ディスプレイ装置に取り付けた状態を示す正面図である。
【図５】この発明の第１の実施形態にかかる映像分離装置を液晶ディスプレイ装置に取り付けた状態を示す側面図である。
【図６】この発明の映像分離装置の映像分離部分の構成例を示す斜視図である。
【図７】この発明の映像分離装置の第２の実施形態の構成を示す正面図である。
【図８】この発明の映像分離装置の第２の実施形態の構成の要部側面図である。
【図９】この発明の映像分離装置の第２の実施形態の他の構成の要部斜視図である。
【図１０】この発明の第３の実施形態にかかる映像分離装置を示す正面図である。
【図１１】この発明の第３の実施形態にかかる映像分離装置を液晶ディスプレイ装置に取り付けた状態を示す正面図である。
【図１２】この発明の第３の実施形態にかかる映像分離装置を液晶ディスプレイ装置に取り付けた状態を示す側面図である。
【図１３】この発明の第３の実施形態にかかる映像分離装置の取り付けた状態を変更した例を示す側面図である。
【図１４】この発明の映像分離装置の第４の実施形態を示すもので、パララックスバリア基板の４片を支持枠で保持する構成を示し、（ａ）は正面図、（ｂ）は断面側面図である。
【図１５】この発明の映像分離装置の第４の実施形態を示すもので、パララックスバリア基板の上部を支持枠で保持する構成を示し、（ａ）は正面図、（ｂ）は断面側面図である。
【図１６】この発明の映像分離装置の第４の実施形態の映像分離装置を液晶ディスプレイ装置に取り付ける状態を示す側面図である。
【図１７】この発明の映像分離装置の第５の実施形態を示す正面図である。
【図１８】この発明の映像分離装置の第５の実施形態の映像分離装置を液晶ディスプレイ装置に取り付ける状態を示す側面図である。
【図１９】この発明の第６の実施形態にかかる映像分離装置を示す斜視図である。
【図２０】映像分離装置を液晶ディスプレイ装置に取り付けるため取り付け部材の構成を示す分解斜視図である。
【図２１】この発明の第６の実施形態にかかる映像分離装置を液晶ディスプレイ装置に取り付けた状態を示す側面図である。
【図２２】この発明の第６の実施形態にかかる映像分離装置を液晶ディスプレイ装置に取り付け水平位置調整を行う状態を示す側面図である。
【図２３】この発明の第６の実施形態にかかる他の映像分離装置を液晶ディスプレイ装置に取り付けた状態を示す側面図である。
【図２４】この発明の第７の実施形態にかかる映像分離装置を示す斜視図である。
【図２５】この発明の第７の実施形態にかかる映像分離装置の水平位置調整具の構成を示す概略側面図である。
【図２６】この発明の映像分離装置の第８の実施形態が適用されるノート型パーソナルコンピュータの斜視図である。
【図２７】この発明の映像分離装置の第８の実施形態の映像分離装置の構成を示す斜視図である。
【図２８】この発明の第８の実施形態にかかる映像分離装置をノート型パーソナルコンピュータに取り付けた状態を示す斜視図である。
【図２９】この発明の第８の実施形態にかかる映像分離装置の高さ調整部分の斜視図である。
【図３０】４つの視点の画像を液晶表示画面に表示した場合の画素の関係を示す模式図である。
【図３１】図３０に示す表示画面に対応するパララックスバリアを示す模式図である。
【図３２】適視距離において、左眼で図３０に示す表示画面を見た状態を示す模式図である。
【図３３】適視距離において、右眼で図３０に示した表示画面を見た状態を示す模式図である。
【符号の説明】
１　液晶ディスプレイ装置
１１　液晶パネル
１２　筺体
２　映像分離装置
２１　パララックスバリア基板
２２　支持枠
２３　係止部
【図１】
2004004681.tif 000003
【図２】
2004004681.tif 000004
【図３】
2004004681.tif 000005
【図４】
2004004681.tif 000006
【図５】
2004004681.tif 000007
【図６】
2004004681.tif 000008
【図７】
2004004681.tif 000009
【図８】
2004004681.tif 000010
【図９】
2004004681.tif 000011
【図１０】
2004004681.tif 000012
【図１１】
2004004681.tif 000013
【図１２】
2004004681.tif 000014
【図１３】
2004004681.tif 000015
【図１４】
2004004681.tif 000016
【図１５】
2004004681.tif 000017
【図１６】
2004004681.tif 000018
【図１７】
2004004681.tif 000019
【図１８】
2004004681.tif 000020
【図１９】
2004004681.tif 000021
【図２０】
2004004681.tif 000022
【図２１】
2004004681.tif 000023
【図２２】
2004004681.tif 000024
【図２３】
2004004681.tif 000025
【図２４】
2004004681.tif 000026
【図２５】
2004004681.tif 000027
【図２６】
2004004681.tif 000028
【図２７】
2004004681.tif 000029
【図２８】
2004004681.tif 000030
【図２９】
2004004681.tif 000031
【図３０】
2004004681.tif 000032
【図３１】
2004004681.tif 000033
【図３２】
2004004681.tif 000034
【図３３】
2004004681.tif 000035